(57)【要約】液晶表示装置における消費電力をより低減する必要があった。外部から入力されるクロック信号ＳＧ２２の周波数を、液晶表示パネルに対して携帯電話の電波受信状況などを常時表示するための基本表示を行うための表示期間Ｔ１３においては分周せず、表示期間Ｔ１３以外の期間においてはあらかじめ定められた基準に基づいて分周するような信号処理を、クロック信号に対して行うクロック信号分周回路２０４と、クロック信号分周回路２０４によって周波数が分周されたクロック信号ＳＧ１３を利用して、液晶表示パネルに対して携帯電話の電波受信状況などを常時表示するための基本表示を行うための所定の電圧を生成する昇圧回路２０２、２０３とを備えた駆動電圧生成回路２０１である。
2004040544.tif 000002
【特許請求の範囲】
【請求項１】
外部から入力されるクロック信号の周波数を、液晶表示パネルに対して所定の表示を行うための所定の期間においては分周せず、前記所定の期間以外の期間においてはあらかじめ定められた基準に基づいて分周するような信号処理を、前記クロック信号に対して行う信号処理手段と、
前記信号処理が行われたクロック信号を利用して、前記液晶表示パネルに対して前記所定の表示を行うための所定の電圧を生成する電圧生成手段とを備えた電圧生成回路。
【請求項２】
前記あらかじめ定められた基準に基づいて分周するとは、前記分周された前記周波数が所定値以上であるように分周することである請求の範囲第１項記載の電圧生成回路。
【請求項３】
前記液晶表示パネルに対して行われる前記所定の表示とは、所定の指示に基づいて前記液晶表示パネルの一部に対して行われる表示である請求の範囲第１項記載の電圧生成回路。
【請求項４】
前記所定の期間とは、表示期間である請求の範囲第１項記載の電圧生成回路。
【請求項５】
前記液晶表示パネルは、複数列のソース線と複数行のゲート線との交差部に対応して配置された複数の画素を有し、
前記液晶表示パネルに対して前記所定の表示を行うための所定の電圧とは、前記複数列のソース線を駆動するためのソース線駆動電圧、および前記複数行のゲート線を駆動するためのゲート線駆動電圧である請求の範囲第１項記載の電圧生成回路。
【発明の詳細な説明】
【技術分野】  本発明は、たとえば、ノート型パソコン、小型情報端末機器、テレビジョンなどの表示用ディスプレイに利用される電圧生成回路に関するものである。
【背景技術】  近年、マルチメディアの技術革新にともない、小型情報端末機器や携帯電話に代表されるような携帯用の液晶表示装置の性能向上が要望されている。
ここで、図３〜４を参照しながら、従来の液晶表示装置（たとえば、特開２００１−３４３９２１号公報および特開２００１−２１５９２９号公報参照）の構成および動作について説明する。
ここに、特開２００１−３４３９２１号公報および特開２００１−２１５９２９号公報の全ての開示は、そっくりそのままここに引用（参照）することにより、一体化される。
なお、図３は、従来のクロック信号ＳＧ４２の波形の振るまいを説明するための説明図である。また、図４は、従来の駆動電圧生成回路４０１の構成図である。
まず、図４を主として参照しながら、従来の駆動電圧生成回路４０１の構成について説明する。
ＳＧ４１は、外部から入力される基準電圧である。
ＳＧ４２は、外部から入力されるクロック信号である。
４０１は、駆動電圧生成回路であり、液晶表示装置で使用する様々な電圧を外部から入力される基準電圧ＳＧ４１より生成する回路である。
４０２、４０３は、昇圧回路であり、外部から入力される基準電圧ＳＧ４１と外部から入力されるクロック信号ＳＧ４２とに応答して様々な電圧を生成し、出力する機能を有する回路である。
ＳＧ４３、ＳＧ４４は、それぞれ昇圧回路４０１、４０２によって昇圧された電圧であり、液晶表示装置で使用される。
駆動電圧生成回路４０１に入力された基準電圧ＳＧ４１とクロック信号ＳＧ４２は、昇圧回路４０２、４０３にそれぞれ入力され、様々な種類の電圧ＳＧ４３、ＳＧ４４に昇圧された後、液晶表示装置で使用される。
ここで、図３を主として参照しながら、従来の駆動電圧生成回路４０１における１垂直期間でのクロック信号の波形の振るまいについて説明する。
ＳＧ３１は、Ｖ（ｖｅｒｔｉｃａｌ）同期信号である。
ＳＧ３２は、液晶表示パネル（図示省略）に映像または画像を表示する表示領域の開始ラインと終了ラインとを示す表示領域信号である。
ＳＧ４２は、前述したように、駆動電圧生成回路４０１に入力されるクロック信号である。
Ｔ３１は、１垂直期間である。
Ｔ３２は、液晶表示パネルに表示可能な最大有効表示期間である。
Ｔ３３は、液晶表示パネルに画像または映像を実際に表示する表示期間である。液晶表示パネルの一部分のみを表示させる場合には、表示期間Ｔ３３が最大有効表示期間Ｔ３２よりも小さくなる。
Ｔ３４は、Ｖブランキング期間である。
なお、本明細書においては、表示が行われない期間（すなわち、表示領域の終了ラインを示す信号が入力されてからつぎの表示領域の開始ラインを示す信号が入力されるまでの期間）をＶブランキング期間と呼ぶことにする。
つぎに、図４を主として参照しながら、従来の駆動電圧生成回路４０１の動作について説明する。
駆動電圧生成回路４０１は、昇圧回路４０２、４０３に入力されるクロック信号ＳＧ４２を利用して、特定の電圧を液晶表示装置に供給する。
ここに、クロック信号ＳＧ４２は、液晶表示パネル全体を表示させるのか、液晶表示パネルの一部分のみを表示させるのかなどにはかかわらず、１垂直期間Ｔ３１（図３参照）において常に供給される。
しかしながら、ゲートドライバ（図示省略）を駆動させるために必要な電圧は、液晶表示パネル全体を表示させる場合よりも、表示ライン数のより少ない液晶表示パネルの一部分のみを表示させる場合の方が小さい。
そして、たとえば携帯電話の液晶表示パネルなどにおいては、非通話時などのように液晶表示パネルの一部分のみを表示させる場合がかなり多い。
本発明者は、液晶表示パネルの一部分のみを表示させる場合のように、ゲートドライバを駆動させるために必要な電圧が小さいにもかかわらず、クロック信号が１垂直期間Ｔ３１（図３参照）において常に供給されるために、無駄な消費電力が生じてしまっていることに気付いた。
【発明の開示】
本発明は、上記従来のこのような課題を考慮し、たとえば、液晶表示装置における消費電力をより低減することができる電圧生成回路を提供することを目的とするものである。
第１の本発明は、外部から入力されるクロック信号の周波数を、液晶表示パネルに対して所定の表示を行うための所定の期間においては分周せず、前記所定の期間以外の期間においてはあらかじめ定められた基準に基づいて分周するような信号処理を、前記クロック信号に対して行う信号処理手段と、
前記信号処理が行われたクロック信号を利用して、前記液晶表示パネルに対して前記所定の表示を行うための所定の電圧を生成する電圧生成手段とを備えた電圧生成回路である。
第２の本発明は、前記あらかじめ定められた基準に基づいて分周するとは、前記分周された前記周波数が所定値以上であるように分周することである第１の本発明の電圧生成回路である。
第３の本発明は、前記液晶表示パネルに対して行われる前記所定の表示とは、所定の指示に基づいて前記液晶表示パネルの一部に対して行われる表示である第１の本発明の電圧生成回路である。
第４の本発明は、前記所定の期間とは、表示期間である第１の本発明の電圧生成回路である。
第５の本発明は、前記液晶表示パネルは、複数列のソース線と複数行のゲート線との交差部に対応して配置された複数の画素を有し、
前記液晶表示パネルに対して前記所定の表示を行うための所定の電圧とは、前記複数列のソース線を駆動するためのソース線駆動電圧、および前記複数行のゲート線を駆動するためのゲート線駆動電圧である第１の本発明の電圧生成回路である。
第６の本発明は、第５の本発明の電圧生成回路と、
前記ソース線駆動電圧を利用して前記複数列のソース線を駆動するソースドライバと、
前記ゲート線駆動電圧を利用して前記複数行のゲート線を駆動するゲートドライバとを備えた液晶表示装置である。
第７の本発明は、外部から入力されるクロック信号の周波数を、液晶表示パネルに対して所定の表示を行うための所定の期間においては分周せず、前記所定の期間以外の期間においてはあらかじめ定められた基準に基づいて分周するような信号処理を、前記クロック信号に対して行う信号処理ステップと、
前記信号処理が行われたクロック信号を利用して、前記液晶表示パネルに対して前記所定の表示を行うための所定の電圧を生成する電圧生成ステップとを備えた電圧生成方法である。
第８の本発明は、第７の本発明の電圧生成方法の、外部から入力されるクロック信号の周波数を、液晶表示パネルに対して所定の表示を行うための所定の期間においては分周せず、前記所定の期間以外の期間においてはあらかじめ定められた基準に基づいて分周するような信号処理を、前記クロック信号に対して行う信号処理ステップと、前記信号処理が行われたクロック信号を利用して、前記液晶表示パネルに対して前記所定の表示を行うための所定の電圧を生成する電圧生成ステップとをコンピュータに実行させるためのプログラムである。
第９の本発明は、第８の本発明のプログラムを担持した記録媒体であって、コンピュータにより処理可能な記録媒体である。
【図面の簡単な説明】  図１は、本発明の実施の形態１のクロック信号分周回路２０４によって周波数が分周されたクロック信号ＳＧ１３の波形の振るまいを説明するための説明図である。
図２は、本発明の実施の形態１の駆動電圧生成回路２０１の構成図である。
図３は、従来のクロック信号ＳＧ４２の波形の振るまいを説明するための説明図である。
図４は、従来の駆動電圧生成回路４０１の構成図である。
図５は、本発明の一実施の形態の液晶表示装置の構成図である。
図６は、本発明の一実施の形態の液晶表示装置の回路実装における回路配置の説明図である。
図７は、本発明の実施の形態１の倍電圧コンバータの説明図である。
【符号の説明】
ＳＧ１１  Ｖ同期信号
ＳＧ１２  表示領域信号
ＳＧ１３  クロック信号分周回路２０４によって周波数が分周されたクロック信号
Ｔ１１  １垂直期間
Ｔ１２  液晶表示パネルに表示可能な有効表示期間
Ｔ１３  液晶表示パネルに画像または映像を実際に表示する表示期間
Ｔ１４  Ｖブランキング期間
２０１  駆動電圧生成回路
２０２、２０３  昇圧回路
２０４  クロック信号分周回路
ＳＧ２１  外部から入力される基準電圧
ＳＧ２２  外部から入力されるクロック信号
ＳＧ２３、ＳＧ２４  出力電圧
ＳＧ３１  Ｖ同期信号
ＳＧ３２  表示領域信号
Ｔ３１  １垂直期間
Ｔ３２  液晶表示パネルに表示可能な有効表示期間
Ｔ３３  液晶表示パネルに画像または映像を実際に表示する表示期間
Ｔ３４  Ｖブランキング期間
４０１  駆動電圧生成回路
４０２、４０３  昇圧回路
ＳＧ４１  外部から入力される基準電圧
ＳＧ４２  外部から入力されるクロック信号
ＳＧ４３、ＳＧ４４  出力電圧
【発明を実施するための最良の形態】  以下に、本発明の実施の形態について、図面を参照しつつ説明を行う。
（実施の形態１）
はじめに、図１〜２を参照しながら、本実施の形態の駆動電圧生成回路２０１の構成について説明する。
なお、図１は、本発明の実施の形態１のクロック信号分周回路２０４によって周波数が分周されたクロック信号ＳＧ１３の波形の振るまいを説明するための説明図である。また、図２は、本発明の実施の形態１の駆動電圧生成回路２０１の構成図である。
まず、図２を主として参照しながら、本実施の形態の駆動電圧生成回路２０１の構成の構成について説明する。
ＳＧ２１は、外部から入力される基準電圧である。
ＳＧ２２は、外部から入力されるクロック信号である。
ＳＧ２３、ＳＧ２４は、出力電圧である。
ＳＧ１２は、複数列のソース線と複数行のゲート線との交差部に対応して配置された複数の画素を有する携帯電話用の液晶表示パネル（図示省略）に映像または画像を表示させる表示領域の開始ラインおよび終了ラインを示す表示領域信号である。
２０１は、駆動電圧生成回路であり、液晶表示装置で使用される、（１）複数列のソース線を駆動するためのソース線駆動電圧や、（２）複数行のゲート線を駆動するためのゲート線駆動電圧などの様々な電圧を外部から入力された基準電圧ＳＧ２１より生成する回路である。
２０２、２０３は、昇圧回路であり、基準電圧ＳＧ２１とクロック信号分周回路２０４によって周波数が分周されたクロック信号ＳＧ１３とに応答して様々な電圧を生成し、出力する機能を有する回路である。
後に詳述されるように、外部から入力されるクロック信号ＳＧ２２そのものではなく、クロック信号分周回路２０４によって周波数が分周されたクロック信号ＳＧ１３（図１参照）を利用して、このような様々な電圧の生成や出力が行われる点が、本実施の形態の特徴である。
なお、様々な電圧の生成は、本発明の実施の形態１の倍電圧コンバータの説明図である図７に示されているように、いわゆるチャージポンプの原理を利用して行うことができる。
より具体的には、（１）スイッチＳ１１、Ｓ１２をＯＮとし、スイッチＳ２１、Ｓ２２をＯＦＦとして、コンデンサＣ１を充電した後に、（２）スイッチＳ１１、Ｓ１２をＯＦＦとし、スイッチＳ２１、Ｓ２２をＯＮとして、コンデンサＣ２を充電することにより、電源Ｖの電圧Ｖｉｎの二倍の電圧Ｖｏｕｔ＝２Ｖｉｎを得ることができる。
２０４は、クロック信号分周回路であり、駆動電圧生成回路２０１に入力されたクロック信号ＳＧ２２の周波数を、表示領域信号ＳＧ１２を利用して分周する回路である。
ここで、図１を主として参照しながら、本実施の形態の駆動電圧生成回路２０１における１垂直期間でのクロック信号の波形の振るまいについて説明する。
ＳＧ１１は、Ｖ（ｖｅｒｔｉｃａｌ）同期信号である。
ＳＧ１２は、前述したように、液晶表示パネル（図示省略）に映像または画像を表示する表示領域の開始ラインおよび終了ラインを示す表示領域信号である。
ＳＧ１３は、クロック信号分周回路２０４によって周波数が分周されたクロック信号である。
Ｔ１１は、１垂直期間である。
Ｔ１２は、液晶表示パネルに表示可能な最大有効表示期間である。
Ｔ１３は、液晶表示パネルに画像または映像を実際に表示する表示期間である。表示期間Ｔ１３は、液晶表示パネルの基本表示部分のみで携帯電話の電波受信状況などを常時表示するための基本表示を行わせる場合などには、最大有効表示期間Ｔ１２よりも小さくなる。
Ｔ１４は、Ｖブランキング期間である。
なお、クロック信号分周回路２０４を含む手段は本発明の信号処理手段に対応し、昇圧回路２０２、２０３を含む手段は本発明の電圧生成手段に対応し、駆動電圧生成回路２０１を含む手段は本発明の電圧生成回路に対応する。また、外部から入力されるクロック信号ＳＧ２２は本発明の外部から入力されるクロック信号に対応し、クロック信号分周回路２０４によって周波数が分周されたクロック信号ＳＧ１３は本発明の信号処理が行われたクロック信号に対応する。また、携帯電話の電波受信状況などを常時表示するための基本表示は、本発明の所定の表示に対応する。また、表示期間Ｔ１３は、本発明の液晶表示パネルに対して所定の表示を行うための所定の期間に対応する。
つぎに、図２を主として参照しながら、本実施の形態の駆動電圧生成回路２０１の動作について説明する。
なお、本実施の形態の駆動電圧生成回路２０１の動作について説明しながら、本発明の駆動電圧生成方法の一実施の形態についても説明する。
クロック信号分周回路２０４は、表示領域信号ＳＧ１２に基づくクロック信号ＳＧ２２の周波数の分周を利用し、昇圧回路２０２、２０３に入力されるクロック信号ＳＧ１３を生成する。
より具体的に述べると、クロック信号分周回路２０４は、表示領域信号ＳＧ１２を見て、（１）１垂直期間Ｔ１１（図１参照）内の表示開始ラインから表示終了ラインまでの期間に相当する表示期間Ｔ１３（図１参照）においては、外部から入力されるクロック信号ＳＧ２２の周波数を分周させることなく、クロック信号ＳＧ１３を生成し、（２）その他の期間に相当するＶブランキング期間Ｔ１４においては、外部から入力されるクロック信号ＳＧ２２の周波数を分周比１／２で分周させて（すなわち２分周して）、クロック信号ＳＧ１３を生成する。
昇圧回路２０２、２０３は、クロック信号分周回路２０４によって周波数が分周されたクロック信号Ｇ１３を利用して、基準電圧ＳＧ２１を所望の電圧に変換し、液晶表示装置で使用される様々な電圧を生成する。
駆動電圧生成回路２０１は、このような動作を繰り返すことにより、様々な電圧を液晶表示装置に供給する。
かくして、表示期間Ｔ１３とＶブランキング期間Ｔ１４とで、外部から入力されるクロック信号ＳＧ２２の周波数を切り替えてクロック信号ＳＧ１３を生成することで、表示領域に応じた最適な電圧を供給し、液晶表示装置全体での不要な電力消費を低減することが可能となる。
以上においては、実施の形態１について詳細に説明を行った。
（Ａ）なお、本発明の所定の期間は、上述した本実施の形態においては、表示期間Ｔ１３であった。
しかし、これに限らず、要するに、本発明の所定の期間は、液晶表示パネルに対して所定の表示を行うための期間であればよい。
（Ｂ）また、本発明の所定の表示は、上述した本実施の形態においては、携帯電話の電波受信状況などを常時表示するための基本表示であった。
しかし、これに限らず、要するに、本発明の所定の表示は、所定の指示に基づいて液晶表示パネルの一部に対して行われる表示であればよい。
（Ｃ）また、本発明の信号処理手段は、上述した本実施の形態においては、クロック信号分周回路２０４を含む手段であった。
しかし、これに限らず、本発明の信号処理手段は、たとえば、駆動電圧生成回路における複数の昇圧回路ごとに配置されたビットクロック信号分周回路を含む手段であってもよい。
要するに、本発明の信号処理手段は、外部から入力されるクロック信号の周波数を、液晶表示パネルに対して所定の表示を行うための所定の期間においては分周せず、所定の期間以外の期間においてはあらかじめ定められた基準に基づいて分周するような信号処理を、クロック信号に対して行う手段であればよい。
（Ｄ）また、本発明の分周は、上述した本実施の形態においては、分周比１／２を利用して行われた。
しかし、これに限らず、本発明の分周は、たとえば、（１）１／２以外の分周比を利用して行われてもよいし、（２）行われる所定の表示に応じて適宜変更される可変的な分周比を利用して行われてもよい。
より具体的には、１８ｋＨｚのクロック信号の周波数を、液晶表示パネルに対して部分表示を行うための表示期間においては分周せず、Ｖブランキング期間においては分周比１／４を利用して分周するような信号処理が、実際に利用される。
要するに、本発明の分周は、あらかじめ定められた基準に基づいて行われればよい。
なお、本発明の分周は、分周された周波数が所定値以上であるように行われることが望ましい。
その理由は、分周された周波数があまりにも小さくなってしまうと、表示期間Ｔ１３（図１参照）とＶブランキング期間Ｔ１４（図１参照）との境目のような周波数の変わり目における周波数の変化が大きくなりすぎてしまい、周波数の切り替えが困難になってしまうからである。
もちろん、ゲートドライバなどにおける消費電力の低減のためには分周された周波数が小さいほうが好都合であるため、本発明の分周は、分周された周波数が大きすぎず小さすぎないように行われることが望ましい。
したがって、本発明における電圧生成回路は、部分表示を行う際に、画像データ信号ＯＮ期間には外部から供給されるクロック信号の周波数と同じ周波数のクロックが与えられ、画像データ信号ＯＦＦ期間にはクロックが全く与えられないような電圧生成回路（たとえば、特開平１１−１８４４３４号公報参照）とは相異なる。
ここに、特開平１１−１８４４３４号公報の全ての開示は、そっくりそのままここに引用（参照）することにより、一体化される。
（Ｅ）また、本発明の所定の期間とは、上述した本実施の形態においては、表示期間Ｔ１３であった。
しかし、これに限らず、たとえば、本発明の所定の期間は、表示期間Ｔ１３を含む期間であってもよい。
より具体的には、本発明の所定の期間は、周波数の変わり目における表示の乱れが低減されるように、表示期間Ｔ１３とその先頭部分に設けられたいわゆる助走期間とを併せた期間であってもよい。
（Ｆ）また、本発明の電圧生成手段は、上述した本実施の形態においては、昇圧回路２０２、２０３を含む手段であった。
しかし、これに限らず、要するに、本発明の電圧生成手段は、信号処理が行われたクロック信号を利用して、前記液晶表示パネルに対して前記所定の表示を行うための所定の電圧を生成する手段であればよい。
（Ｇ）また、本発明の所定の電圧は、上述した本実施の形態においては、複数列のソース線を駆動するためのソース線駆動電圧、および複数行のゲート線を駆動するためのゲート線駆動電圧であった。
しかし、これに限らず、要するに、本発明の所定の電圧は、液晶表示パネルに対して所定の表示を行うための電圧であればよい。
（Ｈ）また、本発明の一実施の形態の液晶表示装置の構成図である図５に示されているような、（１）マトリックス状に配列された複数のゲート線と複数のソース線とが交差する点にそれぞれ配置された複数の画素５０１と、各画素５０１を形成しているソース線が選択された時に対応するゲート線上の書き込み電荷を画素電極に伝達するスイッチング素子５０２と、書き込み電荷を保持する蓄積容量５０３とを有する液晶表示パネル５００と、（２）ゲート線を駆動するゲートドライバ５１０と、（３）ソース線を駆動するソースドライバ５２０と、（４）各画素５０１の対向電極を駆動する対向電極駆動回路５３０と、（５）ゲートドライバ５１０、ソースドライバ５２０、対向電極駆動回路５３０を駆動するための駆動電圧をそれぞれ生成する駆動電圧生成回路（ＤＣ／ＤＣ）５４０とを備えた液晶表示装置であってもよい。
ここに、駆動電圧生成回路５４０は、液晶表示パネル５００における任意の連続したゲート線間に画像を表示させる場合において、表示に必要な１垂直期間中の所定の期間においては入力するクロック信号の周期を分周することなく駆動電圧をそれぞれ生成し、表示に不必要な１垂直期間のそれ以外の期間においてはクロック信号の周期をｎ分周（ｎは２以上の任意の正数）させて駆動電圧をそれぞれ生成する回路である。
また、本発明の一実施の形態の液晶表示装置の回路実装における回路配置の説明図である図６に示されているように、ゲートドライバ５１０および駆動電圧生成回路５４０を有する回路６１０と、ソースドライバ５２０およびコントローラを有する回路６２０とが、液晶表示パネル５００の上部に並んで配置されるような回路実装が、実際に利用される。
（Ｉ）また、本発明のプログラムは、上述した本発明の電圧生成方法の全部または一部のステップ（または、工程、動作、作用等）の動作をコンピュータにより実行させるためのプログラムであって、コンピュータと協働して動作するプログラムである。
また、本発明の記録媒体は、上述した本発明の電圧生成方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
なお、本発明の上記「一部のステップ（または、工程、動作、作用等）」とは、それらの複数のステップの内の、一つまたは幾つかのステップを意味する。
また、本発明の上記「ステップ（または、工程、動作、作用等）の動作」とは、前記ステップの全部または一部の動作を意味する。
また、本発明のプログラムの一利用形態は、コンピュータにより読み取り可能な記録媒体に記録され、コンピュータと協働して動作する態様であっても良い。
また、本発明のプログラムの一利用形態は、伝送媒体中を伝送し、コンピュータにより読みとられ、コンピュータと協働して動作する態様であっても良い。
また、記録媒体としては、ＲＯＭ等が含まれ、伝送媒体としては、インターネット等の伝送媒体、光・電波・音波等が含まれる。
また、上述した本発明のコンピュータは、ＣＰＵ等の純然たるハードウェアに限らず、ファームウェアや、ＯＳ、更に周辺機器を含むものであっても良い。
なお、以上説明した様に、本発明の構成は、ソフトウェア的に実現しても良いし、ハードウェア的に実現しても良い。
【産業上の利用可能性】  以上述べたところから明らかなように、本発明は、液晶表示装置における消費電力をより低減することができるという長所を有する。
【図１】
2004040544.tif 000003
【図２】
2004040544.tif 000004
【図３】
2004040544.tif 000005
【図４】
2004040544.tif 000006
【図５】
2004040544.tif 000007
【図６】
2004040544.tif 000008
【図７】
2004040544.tif 000009
【国際調査報告】
2004040544.tif 000010
2004040544.tif 000011
2004040544.tif 000012
2004040544.tif 000013